(57)【要約】      （修正有）【課題】ハブに接続されたＬＡＮケーブルを故意または誤って抜いたり、異なるＬＡＮケーブルを故意または誤って差込んだりすることを防止するコネクタ用ロック具を提供する。【解決手段】コネクタ用ロック具は、向かい合う２つの挟み込み面１１ａ、１１ｂと、ＬＡＮケーブル用コネクタに備えられたラッチ用フラッパのラッチ解除方向の動きを規制するフラッパ規制部１１ｄを備える挟み込み面１１ａ、１１ｂを接続する接続面１１ｃと、から構成されるコの字体１１と、２つの挟み込み面１１ａ、１１ｂに架け渡される回動軸１２ａに回動可能に軸支される回動体１２と、を具備し、コの字体１１と回動体１２とで形成されるコネクタ挿通部１３に挿通されたＬＡＮケーブル用コネクタのケーブルの軸方向に沿う移動を規制するケーブル移動規制手段１４を概略備えている。【選択図】図１
2015103512.tif 000002
【特許請求の範囲】
【請求項１】
取り付け状態において差込口に差し込まれたＬＡＮケーブル用コネクタの差込状態をロックするコネクタ用ロック具であって、
向かい合う２つの挟み込み面と、前記ＬＡＮケーブル用コネクタに備えられたラッチ用フラッパのラッチ解除方向の動きを規制するフラッパ規制部を備える前記挟み込み面を接続する接続面と、から構成されるコの字体と、
前記２つの挟み込み面に架け渡される回動軸に回動可能に軸支される回動体と、を具備し、
前記コの字体と前記回動体とで形成されるコネクタ挿通部に挿通された前記ＬＡＮケーブル用コネクタの該ケーブルの軸方向に沿う移動を規制するケーブル移動規制手段を備えることを特徴とするコネクタ用ロック具。
【請求項２】
前記ケーブル移動規制手段は、前記接続面の挟み込み面の側に設けられた接続面規制部と、前記回動体の前記接続面に向かい合う側に設けられた回動体規制部とを備え、
前記コネクタ挿通部に前記ＬＡＮケーブル用コネクタを挿通した状態で前記回動体を前記接続面に向かって回動させ、前記接続面規制部と前記回動体規制部とによる前記ＬＡＮケーブル用コネクタの挟持で該ケーブルの軸方向に沿う移動を規制することを特徴とする請求項１に記載のコネクタ用ロック具。
【請求項３】
前記回動体は、前記接続面規制部と前記回動体規制部とによる前記ＬＡＮケーブル用コネクタの挟持を維持する係止手段を備えることを特徴とする請求項２に記載のコネクタ用ロック具。
【請求項４】
前記係止手段は、前記挟み込み面の一方に設けられた係止受け穴部と前記回動体に設けられた進退可能な係止部とから構成され、
前記接続面規制部と前記回動体規制部とによる前記ＬＡＮケーブル用コネクタの挟持が解除された状態においては前記係止部の進出状態が維持され、
前記回動体が前記接続面に向かって回動し、前記係止部が前記挟み込み面の一方に当接することで退入状態となり、
前記接続面規制部と前記回動体規制部とによる前記ＬＡＮケーブル用コネクタの挟持の完了状態においては前記係止部が前記係止受け穴部に位置して進出状態となることを特徴とする請求項３に記載のコネクタ用ロック具。
【請求項５】
前記ケーブル移動規制手段は、前記回動体の前記接続面に向かい合う側に設けられ、前記ＬＡＮケーブル用コネクタの該ケーブルの軸方向に複数突設された回動体規制突設部を備え、
前記コネクタ挿通部に前記ＬＡＮケーブル用コネクタを挿通した状態で前記回動体を前記接続面に向かって回動させ、前記接続面と前記回動体規制突設部とによる前記ＬＡＮケーブル用コネクタの挟持で該ケーブルの軸方向に沿う移動を規制することを特徴とする請求項１に記載のコネクタ用ロック具。
【請求項６】
前記回動体は、前記接続面と前記回動体規制突設部とによる前記ＬＡＮケーブル用コネクタの挟持を維持する係止手段を備えることを特徴とする請求項５に記載のコネクタ用ロック具。
【請求項７】
前記係止手段は、前記挟み込み面の一方に設けられた係止受け穴部と前記回動体に設けられた進退可能な係止部とから構成され、
前記接続面と前記回動体規制突設部とによる前記ＬＡＮケーブル用コネクタの挟持が解除された状態においては前記係止部の進出状態が維持され、
前記回動体が前記接続面に向かって回動し、前記係止部が前記挟み込み面の一方に当接することで退入状態となり、
前記接続面と前記回動体規制突設部とによる前記ＬＡＮケーブル用コネクタの挟持の完了状態においては前記係止部が前記係止受け穴部に位置して進出状態となることを特徴とする請求項６に記載のコネクタ用ロック具。
【請求項８】
前記係止部の進出状態の維持を解除する解除手段を備えることを特徴とする請求項４又は請求項７に記載のコネクタ用ロック具。
【発明の詳細な説明】
【技術分野】
【０００１】  本発明は、ローカルエリアネットワークやイントラネットを構成するためのＬＡＮケーブルの先端に一体的に取り付けられ、コンピュータ（以下、単にＰＣと呼ぶ。）側の差込口もしくはイントラネットを構成するハブの差込口に抜き差し自在に設けられたコネクタを抜き差し不可に固定するためのコネクタ用ロック具に関する。
【背景技術】
【０００２】  従来、ハブを介してサーバに複数のＰＣが接続されるイントラネット構成などの場合、ハブに接続されたＬＡＮケーブルを故意または誤って抜いたり、異なるＬＡＮケーブルを故意または誤って差込んでしまったりすることで発生する、イントラネットのシステム障害等のトラブルを防止するために、各種提案がなされていた。【０００３】  例えば、特許文献１に記載のロック用組体では、周方向に分離可能に設けられ、組み付けられた状態でＬＡＮケーブルコネクタの外周を、実質的に密着する状態で取り囲むようになされた第１及び第２の囲繞体と、第１の囲繞体に設けられ、ＬＡＮケーブルコネクタの外周を取り囲むように組み付けられた状態でＬＡＮケーブルコネクタに対してのこれの軸方向に沿う移動を係止する係止手段と、第２の囲繞体に設けられ、ＬＡＮケーブルコネクタの外周を取り囲むように組み付けられた状態でＬＡＮケーブルコネクタに備えられたラッチ用フラッパのラッチ解除方向の動きを規制する規制手段と、を具備する構成が開示されている。【０００４】
【先行技術文献】
【特許文献】
【０００５】
【特許文献１】  特許第４５０２２０９号公報
【発明の概要】
【発明が解決しようとする課題】
【０００６】  この特許文献１に開示されるロック用組体は、簡単な構成でＰＣを実質的に移動することが出来ないようにして盗難防止を図るものであるが、ハブに接続されたＬＡＮケーブルを誤って抜いてしまうことを防止することも可能となっている。【０００７】  ただし、この特許文献１のロック用組体は、ネジ止めまたは錠前止めでハブに接続されたＬＡＮケーブルコネクタを固定するため、効率よく簡単に抜き差し不可に固定するには少々不便であった。
【課題を解決するための手段】
【０００８】  本発明は、上述した事情に鑑みなされたもので、この発明の主たる目的は、ハブに接続されたＬＡＮケーブルを故意または誤って抜いたり、異なるＬＡＮケーブルを故意または誤って差込んだりすることを防止するコネクタ用ロック具を提供することである。【０００９】  また、この発明の他の目的は、ハブに接続された大量のＬＡＮケーブルを効率よく簡単に抜き差し不可に固定するコネクタ用ロック具を提供することである。【００１０】  上述した課題を解決し、目的を達成するため、この発明に係わるコネクタ用ロック具は、請求項１の記載によれば、取り付け状態において差込口に差し込まれたＬＡＮケーブル用コネクタの差込状態をロックするコネクタ用ロック具であって、向かい合う２つの挟み込み面と、前記ＬＡＮケーブル用コネクタに備えられたラッチ用フラッパのラッチ解除方向の動きを規制するフラッパ規制部を備える前記挟み込み面を接続する接続面と、から構成されるコの字体と、前記２つの挟み込み面に架け渡される回動軸に回動可能に軸支される回動体と、を具備し、前記コの字体と前記回動体とで形成されるコネクタ挿通部に挿通された前記ＬＡＮケーブル用コネクタの該ケーブルの軸方向に沿う移動を規制するケーブル移動規制手段を備えることを特徴とする。【００１１】  また、この発明に係わるコネクタ用ロック具は、請求項２の記載によれば、前記ケーブル移動規制手段は、前記接続面の挟み込み面の側に設けられた接続面規制部と、前記回動体の前記接続面に向かい合う側に設けられた回動体規制部とを備え、前記コネクタ挿通部に前記ＬＡＮケーブル用コネクタを挿通した状態で前記回動体を前記接続面に向かって回動させ、前記接続面規制部と前記回動体規制部とによる前記ＬＡＮケーブル用コネクタの挟持で該ケーブルの軸方向に沿う移動を規制することを特徴とする。【００１２】  また、この発明に係わるコネクタ用ロック具は、請求項３の記載によれば、前記回動体は、前記接続面規制部と前記回動体規制部とによる前記ＬＡＮケーブル用コネクタの挟持を維持する係止手段を備えることを特徴とする。【００１３】  また、この発明に係わるコネクタ用ロック具は、請求項４の記載によれば、前記係止手段は、前記挟み込み面の一方に設けられた係止受け穴部と前記回動体に設けられた進退可能な係止部とから構成され、前記接続面規制部と前記回動体規制部とによる前記ＬＡＮケーブル用コネクタの挟持が解除された状態においては前記係止部の進出状態が維持され、前記回動体が前記接続面に向かって回動し、前記係止部が前記挟み込み面の一方に当接することで退入状態となり、前記接続面規制部と前記回動体規制部とによる前記ＬＡＮケーブル用コネクタの挟持の完了状態においては前記係止部が前記係止受け穴部に位置して進出状態となることを特徴とする。【００１４】  また、この発明に係わるコネクタ用ロック具は、請求項５の記載によれば、前記ケーブル移動規制手段は、前記回動体の前記接続面に向かい合う側に設けられ、前記ＬＡＮケーブル用コネクタの該ケーブルの軸方向に複数突設された回動体規制突設部を備え、前記コネクタ挿通部に前記ＬＡＮケーブル用コネクタを挿通した状態で前記回動体を前記接続面に向かって回動さ���、前記接続面と前記回動体規制突設部とによる前記ＬＡＮケーブル用コネクタの挟持で該ケーブルの軸方向に沿う移動を規制することを特徴とする。【００１５】  また、この発明に係わるコネクタ用ロック具は、請求項６の記載によれば、前記回動体は、前記接続面と前記回動体規制突設部とによる前記ＬＡＮケーブル用コネクタの挟持を維持する係止手段を備えることを特徴とする。【００１６】  また、この発明に係わるコネクタ用ロック具は、請求項７の記載によれば、前記係止手段は、前記挟み込み面の一方に設けられた係止受け穴部と前記回動体に設けられた進退可能な係止部とから構成され、前記接続面と前記回動体規制突設部とによる前記ＬＡＮケーブル用コネクタの挟持が解除された状態においては前記係止部の進出状態が維持され、前記回動体が前記接続面に向かって回動し、前記係止部が前記挟み込み面の一方に当接することで退入状態となり、前記接続面と前記回動体規制突設部とによる前記ＬＡＮケーブル用コネクタの挟持の完了状態においては前記係止部が前記係止受け穴部に位置して進出状態となることを特徴とする。【００１７】  また、この発明に係わるコネクタ用ロック具は、請求項８の記載によれば、前記係止部の進出状態の維持を解除する解除手段を備えることを特徴とする。
【発明の効果】
【００１８】  この発明によれば、ハブに接続されたＬＡＮケーブルを故意または誤って抜いたり、異なるＬＡＮケーブルを故意または誤って差込んだりすることを防止するコネクタ用ロック具を提供することが可能となる。【００１９】  また、この発明によれば、ハブに接続された大量のＬＡＮケーブルを効率よく簡単に抜き差し不可に固定するコネクタ用ロック具を提供することが可能となる。
【図面の簡単な説明】
【００２０】
【図１】  本発明のコネクタ用ロック具の斜視図
【図２】  コネクタ用ロック具の解除具の斜視図
【図３】  コネクタ用ロック具に解除具を挿入した状態を示す斜視図
【図４】  コネクタ用ロック具をＬＡＮケーブル用コネクタに取り付ける状態を示す図
【図５】  本発明の別の実施例でのコネクタ用ロック具の斜視図
【図６】  本発明の別の実施例でのコネクタ用ロック具の別の斜視図
【発明を実施するための形態】
【実施例】
【００２１】  以下に図面を用いて本発明の実施例を説明する。図１は、本発明のコネクタ用ロック具１０の斜視図である。図２は、コネクタ用ロック具１０の解除具としての解除キー１６の斜視図である。図３は、コネクタ用ロック具１０に解除具としての解除キー１６を挿入した状態を示す斜視図である。図４は、コネクタ用ロック具１０をＬＡＮケーブル用コネクタに取り付ける状態を示す図である。なお、この実施例において、本発明のコネクタ用ロック具はＬＡＮケーブルのコネクタに用いるものとして説明しているが、その他のラッチ用フラッパが付いたコネクタであれば同様に適用可能である。【００２２】  図１乃至図４に示すとおり、本発明のコネクタ用ロック具１０は、向かい合う２つの挟み込み面１１ａ、１１ｂと、ＬＡＮケーブル用コネクタ１００に備えられたラッチ用フラッパ１１０のラッチ解除方向の動きを規制するフラッパ規制部１１ｄを備える挟み込み面１１ａ、１１ｂを接続する接続面１１ｃと、から構成されるコの字体１１と、２つの挟み込み面１１ａ、１１ｂに架け渡される回動軸１２ａに回動可能に軸支される回動体１２と、を具備し、コの字体１１と回動体１２とで形成されるコネクタ挿通部１３に挿通されたＬＡＮケーブル用コネクタ１００の該ケーブルの軸方向に沿う移動を規制するケーブル移動規制手段１４を概略備えている。【００２３】  また、ケーブル移動規制手段１４は、接続面１１ｃの挟み込み面の側に設けられた接続面規制部１１ｅと、回動体１２の接続面１１ｃに向かい合う側に設けられた回動体規制部１２ｅとを備えている。このケーブル移動規制手段１４においては、コネクタ挿通部１３にＬＡＮケーブル用コネクタ１００を挿通した状態で回動体１２を接続面１１ｃに向かって回動させ、接続面規制部１１ｅと回動体規制部１２ｅとによるＬＡＮケーブル用コネクタ１００の挟持で該ケーブルの軸方向に沿う移動を規制している。【００２４】  また、回動体１２は、接続面規制部１１ｅと回動体規制部１２ｅとによるＬＡＮケーブル用コネクタ１００の挟持を維持する係止手段１５をさらに備えている。具体的には、係止手段１５は、挟み込み面の一方１１ａに設けられた係止受け穴部１１ｆと回動体１２に設けられた進退可能な係止部１２ｆとから構成されている。【００２５】  この係止手段１５は、接続面規制部１１ｅと回動体規制部１２ｅとによるＬＡＮケーブル用コネクタ１００の挟持が解除された状態においては係止部１２ｆの進出状態が維持され、回動体１２が接続面１１ｃに向かって回動し、係止部１２ｆが挟み込み面の一方１１ａに当接することで退入状態となり、接続面規制部１１ｅと回動体規制部１２ｅとによるＬＡＮケーブル用コネクタ１００の挟持の完了状態においては係止部１２ｆが係止受け穴部１１ｆに位置して進出状態となっている。【００２６】  コの字体１１は、向かい合う２つの挟み込み面１１ａ、１１ｂと、この挟み込み面１１ａ、１１ｂを接続する接続面１１ｃで３面を構成するコの字状の部材である。また、２つの挟み込み面１１ａ、１１ｂの間隔はＬＡＮケーブル用コネクタ１００の幅（ラッチ用フラッパ１１０を有する面に垂直な２面間の距離）を挟み込み可能な間隔となっている。【００２７】  接続面１���ｃは、ＬＡＮケーブル用コネクタ１００のラッチ用フラッパ１１０を有する面に相対する面となっている。この接続面１１ｃには、図１、図４に示すとおり、ＬＡＮケーブル用コネクタ１００のコネクタ挿通部１３への挿通時にＬＡＮケーブル用コネクタ１００の先端の側で接続面１１ｃの面を延伸するフラッパ規制部１１ｄが設けられている。【００２８】  このフラッパ規制部１１ｄは、図４（ｃ）に示すとおり、ラッチ用フラッパ１１０とＬＡＮケーブル用コネクタ１００との間に挿入されることで、ラッチ用フラッパ１１０のＬＡＮケーブル用コネクタ１００の側への倒れ込みを規制する。この結果、本発明のコネクタ用ロック具１０がＬＡＮケーブル用コネクタ１００に取り付けられた状態においては、ラッチ用フラッパ１１０のラッチ解除方向の動きであるＬＡＮケーブル用コネクタ１００の方向への倒れ込みがフラッパ規制部１１ｄにより規制され、コンピュータ用ＬＡＮポートやネットワーク用ハブのポート等の差込口に差し込まれたＬＡＮケーブル用コネクタ１００の差込状態がロックされることとなる。【００２９】  また、接続面規制部１１ｅと回動体規制部１２ｅは、コネクタ挿通部１３にＬＡＮケーブル用コネクタ１００を挿通した状態で回動体１２を接続面１１ｃに向かって回動させることでＬＡＮケーブル用コネクタ１００の根元部分（ケーブルとコネクタの接続部分）を挟持するので、ＬＡＮケーブル用コネクタ１００の該ケーブルの軸方向に沿う移動（図４紙面において左右方向）を規制することになる。【００３０】  なお、接続面規制部１１ｅは図１のように、２カ所の突設物から構成されて、該２カ所の突設物の間には何も配置されていないので、ラッチ用フラッパ１１０がぶつかりにくく、ＬＡＮケーブル用コネクタ１００のコネクタ挿通部１３への挿通及び抜き取りの際に邪魔にならないようになっている。【００３１】  回動体１２は、２つの挟み込み面１１ａ、１１ｂに架け渡される回動軸１２ａへ回動可能に軸支されており、内部に係止部１２ｆを進退可能とする進退手段を有する箱体１２ｂとなっている。【００３２】  回動軸１２ａは、図４に示すとおり、コの字体１１のフラッパ規制部１１ｄの側の２つの挟み込み面１１ａ、１１ｂに架け渡されており、回動時に接続面規制部１１ｅと回動体規制部１２ｅとの間を大きく開放させることが可能となっている。この結果、ＬＡＮケーブル用コネクタ１００をコネクタ挿通部１３へ挿通する際には、ＬＡＮケーブル用コネクタ１００が両規制部にぶつかりにくくなっている。【００３３】  箱体１２ｂは、回動コの字体１２ｃと該回動コの字体１２ｃに嵌め合わされる回動嵌合体１２ｄとから構成され、回動コの字体１２ｃと回動嵌合体１２ｄとの間には係止部１２ｆを進退可能とする図示しない進退手段を収納する空間が設けられている。【００３４】  この進退手段は、挟み込み面の一方１１ａの側に設けられた係止部１２ｆを係止受け穴部１１ｆに向かって進出させるように図示しない弾性部材等で付勢させている。【００３５】  また、図２に示す解除手段としての解除キー１６を回動嵌合体１２ｄに設けられている解除キー差込口１２ｇに差し込むことで、図示しない弾性部材等による付勢が解除され、係止部１２ｆの進出状態の維持を解除することが可能となっている。【００３６】  この解除キー１６は、図２に示すとおり、解除キー差込口１２ｇに差し込む解除キー差し込み部１６ａと、解除キー１６を解除キー差込口１２ｇへ差し込む際にガイドとなる解除キー立設部１６ｂとを備えている。【００３７】  解除キー差し込み部１６ａは、箱体１２ｂ内部の図示しない弾性部材等による付勢を解除するとともに、解除状態を維持するためのものである。また、解除キー立設部１６ｂは、解除キー差し込み部１６ａによる付勢解除を確実に行うために解除キー差し込み部１６ａを位置決めするガイドとなっている。なお、この解除キー立設部１６ｂの立設位置を変更するとともに、解除キー差込口１２ｇの形状も変更した解除キー立設部１６ｂにあわせて変更することで、複数種類の解除キー１６と該解除キー１６にあわせた複数種類のコネクタ用ロック具１０を準備する、即ち専用鍵と専用鍵穴のように複数種類のコネクタ用ロック具１０とすることが可能である。【００３８】  なお、回動体１２の接続面１１ｃに向かい合う側に設けられた回動体規制部１２ｅは、回動嵌合体１２ｄの表面に設けられている。【００３９】  このような構成を有する本発明のコネクタ用ロック具１０によるＬＡＮケーブル用コネクタ１００の差込口への差込状態のロックとその解除は以下の通りとなる。【００４０】  コネクタ用ロック具１０のＬＡＮケーブル用コネクタ１００への取り付けは、図４（ａ）及び図４（ｂ）に示すとおり、ＬＡＮケーブル用コネクタ１００を接続面規制部１１ｅと回動体規制部１２ｅとの側からコネクタ挿通部１３に挿通していく。【００４１】  なお、このＬＡＮケーブル用コネクタ１００のコネクタ挿通部１３への挿通時は、接続面規制部１１ｅと回動体規制部１２ｅとによるＬＡＮケーブル用コネクタ１００の根元部分（ケーブルとコネクタの接続部分）の挟持が解除されている。また、この状態においては、係止部１２ｆの進出状態が維持されている。【００４２】  次に、ＬＡＮケーブル用コネクタ１００を図４（ｃ）に示す位置よりさらに紙面上での左側に挿入し、フラッパ規制部１１ｄをラッチ用フラッパ１１０とＬＡＮケーブル用コネクタ１００との間に挿入する。【００４３】  この後、回動体１２を接続面１１ｃに向かって回動させる。この結果、係止部１２ｆが挟み込み面の一方１１ａに当接する。係止部１２ｆの先端部は挟み込み面の一方１１ａに対して退入するように斜面が設けられているので、挟み込み面の一方１１ａへの当接によって、係止部１２ｆが進退手段の弾性部材等による付勢に抗して箱体１２ｂの内部に退入する。【００４４】  回動体１２の回動中は、この係止部１２ｆの退入状態は維持される。この後、さらに回動体１２を接続面１１ｃに向かって回動させ、係止部１２ｆが係止受け穴部１１ｆの位置まで移動すると、係止部１２ｆの退入状態が解除されて進出状態となると共に、接続面規制部１１ｅと回動体規制部１２ｅとによりＬＡＮケーブル用コネクタ１００の挟持が完了する。【００４５】  なお、この係止部１２ｆの進出状態が維持されている状況では、接続面規制部１１ｅと回動体規制部１２ｅとによるＬＡＮケーブル用コネクタ１００の根元部分の挟持が維持される���ととなり、ＬＡＮケーブル用コネクタ１００のＬＡＮケーブルの軸方向に沿う移動が規制されて、ラッチ用フラッパ１１０のＬＡＮケーブル用コネクタ１００の側への倒れ込みが規制されることになる。【００４６】  なお、ＬＡＮケーブル用コネクタ１００の差込口への差込状態のロックは、ＬＡＮケーブル用コネクタ１００を差込口へ差し込んでからコネクタ用ロック具１０を取り付けて行う。なお、ラッチ用フラッパ１１０は一般に弾性変形が可能であり、図４（ｃ）に示すコネクタ用ロック具１０をＬＡＮケーブル用コネクタ１００に取り付けた状態で差込口へ差し込む方法も可能である。【００４７】  また、ラッチ用フラッパ１１０が弾性変形して差込口のラッチ受けでラッチされた後は、ラッチ用フラッパ１１０のラッチ受け部分の変形はフラッパ規制部１１ｄで規制されるため、ラッチ用フラッパ１１０のＬＡＮケーブル用コネクタ１００の側への倒れ込みが不可能となる。これにより、差込口に差し込まれ、コネクタ用ロック具１０が取り付けられたＬＡＮケーブル用コネクタ１００の差込状態がロックされることになる。【００４８】  なお、ＬＡＮケーブル用コネクタ１００の差込状態のロック解除は、図３に示すとおり、解除キー１６を解除キー差込口１２ｇに差し込み、箱体１２ｂ内部の図示しない弾性部材等による付勢を解除し、係止部１２ｆの進出状態の維持を解除した後に回動体１２を接続面１１ｃから離れる方向に向かって回動させ、接続面規制部１１ｅと回動体規制部１２ｅとによるＬＡＮケーブル用コネクタ１００の挟持を解除することにより行う。【００４９】  ＜本発明の別の実施例＞
以下に図５及び図６を用いて、本発明のコネクタ用ロック具１０の別の実施例を説明する。なお、図１乃至図４と共通する構成に関しては、同一の符号を用いて説明を適宜省略する。【００５０】  図５は、本発明のコネクタ用ロック具１０の別の実施例を示す斜視図である。図６は、本発明のコネクタ用ロック具１０の別の実施例を示すフラッパ規制部１１ｄの側から見た別の斜視図である。図５及び図６に示す本発明の別の実施例と上述した実施例とは、回動軸１２ａの２つの挟み込み面１１ａ、１１ｂに架け渡される位置と、接続面規制部１１ｅと回動体規制部１２ｅとによるＬＡＮケーブル用コネクタ１００の挟持に代わり、回動体規制突設部１２ｈと接続面１１ｃとでＬＡＮケーブル用コネクタ１００を挟持する構成と、が異なっている。【００５１】  回動軸１２ａの２つの挟み込み面１１ａ、１１ｂに架け渡される位置に関して、この別の実施例の回動軸１２ａは、図５及び図６に示すとおり、コの字体１１のフラッパ規制部１１ｄの側とは反対の側の２つの挟み込み面１１ａ、１１ｂに架け渡されており、回動時にコの字体１１のフラッパ規制部１１ｄの側を大きく開放させることが可能となっている。【００５２】  また、ＬＡＮケーブル用コネクタ１００を挟持するケーブル移動規制手段１４に関して、この別の実施例では、図５及び図６に示すとおり、回動体１２の接続面１１ｃに向かい合う側に設けられ、ＬＡＮケーブル用コネクタ１００の該ケーブルの軸方向に複数突設された回動体規制突設部１２ｈを備えており、コネクタ挿通部１３にＬＡＮケーブル用コネクタ１００を挿通した状態で回動体１２を接続面１１ｃに向かって回動させ、接続面１１ｃと回動体規制突設部１２ｈとによるＬＡＮケーブル用コネクタ１００の挟持で該ケーブルの軸方向に沿う移動を規制している。【００５３】  また、回動体１２は、接続面１１ｃと回動体規制突設部１２ｈとによるＬＡＮケーブル用コネクタ１００の挟持を維持する係止手段１５をさらに備えている。具体的には、係止手段１５は、挟み込み面の一方１１ａに設けられた係止受け穴部１１ｆと回動体１２に設けられた進退可能な係止部１２ｆとから構成されている。【００５４】  この係止手段１５は、接続面１１ｃと回動体規制突設部１２ｈとによるＬＡＮケーブル用コネクタ１００の挟持が解除された状態においては係止部１２ｆの進出状態が維持され、回動体１２が接続面１１ｃに向かって回動し、係止部１２ｆが挟み込み面の一方１１ａに当接することで退入状態となり、接続面１１ｃと回動体規制突設部１２ｈとによるＬＡＮケーブル用コネクタ１００の挟持の完了状態においては係止部１２ｆが係止受け穴部１１ｆに位置して進出状態となっている。【００５５】  なお、この本発明のコネクタ用ロック具１０の別の実施例において、回動体規制突設部１２ｈは、回動体１２の接続面１１ｃに向かい合う側にコネクタ挿通部１３に挿通されるＬＡＮケーブル用コネクタ１００の該ケーブルの軸方向に２カ所設けられている。また、この別の実施例においては、該２カ所に設けられた回動体規制突設部１２ｈの組みが２組配置されて構成されている。【００５６】  このように配置された複数の回動体規制突設部１２ｈでは、接続面規制部１１ｅを���けなくともＬＡＮケーブル用コネクタ１００の該ケーブルの軸方向の移動を規制可能である。【００５７】  また、この別の実施例においては、回動体１２の回動時が回動軸１２ａの架け渡し位置の関係でフラッパ規制部１１ｄの側が大きく開放されるが、接続面規制部１１ｅが設けられていないので、ＬＡＮケーブル用コネクタ１００のコネクタ挿通部１３への挿通及び抜き取りの際に邪魔になることはない。【００５８】  このような構成を有する本発明のコネクタ用ロック具１０の別の実施例を採用することで、様々な形状やサイズのＬＡＮケーブル用コネクタ１００に対応することが可能となる。【００５９】  ＜その他の実施例＞
上記の実施例においては、係止手段１５を用いて接続面規制部１１ｅと回動体規制部１２ｅとによるＬＡＮケーブル用コネクタ１００の挟持を維持すると説明したが、例えば、係止手段１５の代わりに回動軸１２ａと略平行に配置されるかんぬきを回動軸１２ａとは別に２つの挟み込み面１１ａ、１１ｂに架け渡すように構成しても良い。【００６０】  以上詳述したように、この発明に係わるコネクタ用ロック具は、簡単な構造で、かつ取り付け及び取り外しが簡便であるにも拘わらず、ＰＣ側及びハブ側両方のＬＡＮケーブルのコネクタの着脱を制限することにより、ハブに接続されたＬＡＮケーブルを故意または誤って抜いたり、異なるＬＡＮケーブルを故意または誤って差込んだりすることが可能である。【００６１】  また、この発明のコネクタ用ロック具は、取り付けた状態でハブ等の差込口に差し込み可能であるので、ハブに接続された大量のＬＡＮケーブルを効率よく簡単に抜き差し不可に固定することが可能である。【００６２】  また、この発明のコネクタ用ロック具は、ＬＡＮケーブル用コネクタの挟持は、コの字体と回動体の外形内に全て収まる最小の大きさとなる構成であり、データセンター等の各種大規模ネットワークで見られるコネクタ同士が密集して配置され接続される多接続ハブにも対応可能となっている。【００６３】  また、ノート型パソコンとハブとを接続するＬＡＮケーブルの両端にこの発明のコネクタ用ロック具を用いることで、ノート型パソコンの盗難防止としても使用可能である。
【符号の説明】
【００６４】１０・・コネクタ用ロック具、１１・・コの字体、１１ａ、１１ｂ・・挟み込み面、１１ｃ・・接続面、１１ｄ・・フラッパ規制部、１１ｅ・・接続面規制部、１１ｆ・・係止受け穴部、１２・・回動体、１２ａ・・回動軸、１２ｂ・・箱体、１２ｃ・・回動コの字体、１２ｄ・・回動嵌合体、１２ｅ・・回動体規制部、１２ｆ・・係止部、１２ｇ・・解除キー差込口、１２ｈ・・回動体規制突設部、１３・・コネクタ挿通部、１４・・ケーブル移動規制手段、１５・・係止手段、１６・・解除キー、１６ａ・・解除キー差し込み部、１６ｂ・・解除キー立設部、１００・・ＬＡＮケーブル用コネクタ、１１０・・ラッチ用フラッパ
【図１】
2015103512.tif 000003
【図２】
2015103512.tif 000004
【図３】
2015103512.tif 000005
【図４】
2015103512.tif 000006
【図５】
2015103512.tif 000007
【図６】
2015103512.tif 000008